(57)【要約】【課題】制御装置等の設置スペースの有効利用を図るとともに、不正行為の抑制を図ることのできる遊技機を提供する。【解決手段】パチンコ機の背面側には、各種制御装置が上下左右に並べられるようにして配置されている。遊技盤３０の中央には表示制御装置４５が配置されている。表示制御装置４５の下方には、主制御装置２６１が隣接して配置されている。主制御装置２６１と隣接する表示制御装置４５の下部には、傾斜壁部６６５が形成されており、主制御装置２６１に接続されるケーブルコネクタのケーブルの湾曲を許容するスペース、すなわち逃げ部となっている。【選択図】      図７
2020127754.tif 000002
【特許請求の範囲】
【請求項１】
所定の契機に基づき抽選を行い、当該抽選により当選結果が得られた場合には遊技者にとって有利な特別遊技状態を発生させる遊技機であって、
制御基板を収容した基板ボックスを備え、
前記基板ボックスが、各種電子部品が実装された前記制御基板の実装面に相対向して配置される表壁部と、前記制御基板の裏面に相対向して配置される裏壁部と、前記制御基板の周縁部に相対向して配置される周壁部とを備えた略箱状をなす遊技機において、
前記基板ボックスのうち、少なくとも他の基板ボックスと隣接する側の前記周壁部及び前記表壁部の連接部において、当該周壁部及び表壁部に対し傾斜した面取り部を形成することによって、所定のケーブルコネクタのケーブルの湾曲を許容する逃げ部を形成したことを特徴とする遊技機。
【発明の詳細な説明】
【技術分野】
【０００１】
本発明は、パチンコ機等の遊技機に関するものである。
【背景技術】
【０００２】
従来、パチンコ機等の遊技機の背面側には、遊技に関わる各種制御を行う各種制御装置や、遊技球を払出す払出機構などが上下左右に並べられるようにして配設されている。
【０００３】
また、遊技機背面側には、上記各制御装置同士、又は、入球検出装置や可変入賞装置をはじめとする各種電気部品と制御装置とを電気的に接続するケーブルコネクタも数多く配線されている。そして、各制御装置等には、ケーブルコネクタのコネクタが接続される端子部が設けられている（例えば特許文献１参照）。
【先行技術文献】
【特許文献】
【０００４】
【特許文献１】特開２００５−２９６４２７号公報
【発明の概要】
【発明が解決しようとする課題】
【０００５】
しかし、場合によっては、例えば制御装置（基板ボックス）の角部等においてケーブルを過度に折り曲げたりしないと、ケーブルコネクタを配線できなくなるおそれが出てくる。また、一般的に、ケーブルコネクタのケーブル長は、端子部との接続作業等を考慮して、ある程度余裕をもって設定されているため、そのケーブル余剰部分が無理に曲げられた状態で収容されてしまうおそれもある。結果的に、ケーブルコネクタへの悪影響が懸念される。
【０００６】
なお、上記例示した課題等は、遊技機背面側等に限らず、限られた設置スペースの中で制御装置など数多くの機器が設置される他の遊技機にも該当する問題である。すなわち、上記パチンコ機に限らず、スロットマシン等の他の遊技機にも該当する問題である。
【０００７】
本発明は、上記例示した課題等を解決するためになされたものであり、その目的は、ケーブルコネクタへの悪影響を軽減することのできる遊技機を提供することにある。
【課題を解決するための手段】
【０００８】
上記の目的を達成するため、本発明に係る遊技機は、
所定の契機に基づき抽選を行い、当該抽選により当選結果が得られた場合には遊技者にとって有利な特別遊技状態を発生させる遊技機であって、
制御基板を収容した基板ボックスを備え、
前記基板ボックスが、各種電子部品が実装された前記制御基板の実装面に相対向して配置される表壁部と、前記制御基板の裏面に相対向して配置される裏壁部と、前記制御基板の周縁部に相対向して配置される周壁部とを備えた略箱状をなす遊技機において、
前記基板ボックスのうち、少なくとも他の基板ボックスと隣接する側の前記周壁部及び前記表壁部の連接部において、当該周壁部及び表壁部に対し傾斜した面取り部を形成することによって、所定のケーブルコネクタのケーブルの湾曲を許容する逃げ部を形成したことをその要旨としている。
【発明の効果】
【０００９】
本発明の遊技機によれば、ケーブルコネクタへの悪影響を軽減することができる。
【図面の簡単な説明】
【００１０】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】内枠及び遊技盤の構成を示す背面図である。
【図６】パチンコ機の構成を示す背面図である。
【図７】保護カバーを取外した状態のパチンコ機の構成を示す背面図である。
【図８】電気的構成を示すブロック図である。
【図９】装飾図柄表示装置及び表示制御装置の分解斜視図である。
【図１０】サブ制御装置が載置された状態を示す、装飾図柄表示装置及び表示制御装置の背面図である。
【図１１】サブ制御装置が載置された状態を示す、装飾図柄表示装置及び表示制御装置を上方から見た斜視図である。
【図１２】サブ制御装置が載置された状態を示す、装飾図柄表示装置及び表示制御装置を下方から見た斜視図である。
【図１３】サブ制御装置が取外された状態を示す、装飾図柄表示装置及び表示制御装置の斜視図である。
【図１４】図１０のＫ−Ｋ線部分断面図である。
【図１５】主制御装置及び表示制御装置等が遊技盤裏面に配設された状態を示す、図６のＬ−Ｌ線部分断面図である。
【図１６】別の実施形態におけるサブ制御装置及び表示制御装置を示す斜視図である。
【図１７】別の実施形態におけるサブ制御装置及び表示制御装置を示す斜視図である。
【発明を実施するための形態】
【００１１】
上述したように、従来、パチンコ機等の遊技機の背面側には、遊技に関わる各種制御を行う各種制御装置や、遊技球を払出す払出機構などが上下左右に並べられるようにして配設されている。制御装置としては、例えば遊技の統括的な制御を行う主制御装置、遊技球の払出装置を制御する払出制御装置、表示演出を行うための表示装置を制御する表示制御装置、スピーカやランプ等を制御する音声ランプ制御装置等が配設されている。
【００１２】
近年では、制御装置のメイン制御部を構成する中央処理装置（ＣＰＵ）等の電子部品の高性能化や制御用データ量の増加に伴い、制御基板に実装される各種電子部品が増加傾向にあるため、制御基板ひいては当該制御基板を収納する樹脂ケース（基板ボックス）のサイズも大型化する傾向にある。例えば、表示装置として液晶表示装置などが採用されており、この液晶表示部が興趣の向上を図るために徐々に大型化される傾向にあるため、これに一体的に組付けられる表示制御装置の大きさも液晶表示部に比例して大きくなってきている。そのため、遊技機背面側において表示装置（表示制御装置）が占める占有面積も大きくなってきており、他の制御装置は、上記表示装置の設置スペースを避けるように設置しなければならず、設置しづらくなってきているのが現状である。
【００１３】
また、遊技機背面側には、上記各制御装置同士、又は、入球検出装置や可変入賞装置をはじめとする各種電気部品と制御装置とを電気的に接続するケーブルコネクタも数多く配線されている。そして、各制御装置には、ケーブルコネクタのコネクタが接続される端子部が設けられている（例えば特許文献１参照）。
【００１４】
ところが、近年、上記制御装置等に関する種々の悪質な行為が問題となっている。特に昨今では、例えばケーブルコネクタや端子部に別途の基板を取付ける、所謂「ぶら下げ」と称される行為などの悪質行為が目立つようになってきている。
【００１５】
これに対し、遊技機背面側を覆うカバー体を設け、制御装置の端子部に接続されたコネクタを取外しにくくすることも考えられる。しかし、この場合、カバー体を制御装置にできる限り近づけて配置しなければ、その効果は薄い。
【００１６】
しかし、仮にカバー体を制御装置に近接配置した場合には、両者間の隙間が狭くなり、例えば制御装置（基板ボックス）の角部等においてケーブルを過度に折り曲げたりしないと、ケーブルコネクタを配線できなくなるおそれが出てくる。また、一般的に、ケーブルコネクタのケーブル長は、制御装置の端子部との接続作業等を考慮して、ある程度余裕をもって設定されているため、そのケーブル余剰部分が無理に曲げられた状態でカバー体と制御装置との間に収容されてしまうおそれもある。結果的に、ケーブルコネクタへの悪影響が懸念される。
【００１７】
特に、限られた設置スペースの中で制御装置など数多くの機器が設置され、制御装置同士が近接して配置されている場合や、ケーブルコネクタのケーブルが複数線よりなるもの、比較的太いものなどを使用した場合等においては、上記不具合がより顕著に現われやすい。
【００１８】
なお、上記課題は、遊技機背面側等に限らず、限られた設置スペースの中で制御装置など数多くの機器が設置される他の遊技機にも該当する問題である。すなわち、上記パチンコ機に限らず、スロットマシン等の他の遊技機にも該当する問題である。
【００１９】
本発明は、上記課題を解決するためになされたものであり、その目的は、制御装置等の設置スペースの有効利用を図るとともに、不正行為の抑制を図ることのできる遊技機を提供することにある。
【００２０】
以下、上記課題等を解決するのに適した各手段を項分けして説明する。なお、必要に応じて対応する手段に特有の作用効果等を付記する。
【００２１】
手段１．所定の契機に基づき抽選を行い、当該抽選により当選結果が得られた場合には遊技者にとって有利な特別遊技状態を発生させる遊技機であって、
第１制御基板（主制御基板）を収容した第１基板ボックスと、第２制御基板（副制御基板）を収容した第２基板ボックスとを備え、
前記第１基板ボックス及び第２基板ボックスは、それぞれ各種電子部品が実装された前記各制御基板の実装面に相対向して配置される表壁部と、前記各制御基板の裏面に相対向して配置される裏壁部と、前記各制御基板の周縁部に相対向して配置される周壁部とを備えた略箱状をなし、前記両制御基板の実装面が同一方向を向くように上下又は左右に並んで配置され、かつ、前後方向における互いの配置位置が重なるように前記周壁部の一部が互いに隣接して配置された遊技機において、
前記第１制御基板は、当該第１制御基板の外部の電気部品との間で信号の送信又は受信を行うための端子部を前記実装面に具備してなり、当該端子部が露出した状態で前記第１基板ボックスに収容され、
前記電気部品に電気的に接続されてなるケーブルコネクタが、前記両基板ボックスの裏側から当該両基板ボックス間の隙間を通して、当該両基板ボックスの表側に引き出されるとともに、当該ケーブルコネクタのコネクタが前記第１制御基板の端子部に接続される構成であって、
前記第１基板ボックス及び第２基板ボックスの表壁部のうちの少なくとも一部に対向して配置されるとともに、少なくとも前記第１制御基板の端子部に対向する位置においては、当該端子部に接続された前記ケーブルコネクタのコネクタの取外し方向側を覆うカバー体を備え、
前記第２基板ボックスのうち、前記第１基板ボックスと隣接する側における前記周壁部及び前記表壁部の連接部の少なくとも一部において、当該周壁部及び表壁部に対し傾斜した面取り部を形成することによって、前記ケーブルコネクタのケーブルの湾曲を許容する逃げ部を形成したことを特徴とする遊技機。
【００２２】
上記手段１によれば、端子部及び当該端子部に接続されたケーブルコネクタのコネクタがカバー体により覆われる。従って、コネクタを不正に取り外した上で、所謂ぶら下げ基板を装着したり、制御基板を不正品に取り替える等の悪質な行為を行おうとしても、カバー体を取外さない限りは、当該カバー体が邪魔をしてコネクタの取外しが困難となっていることから、そのような行為を抑止することができる。
【００２３】
また、上記手段では、第１基板ボックスと隣接する側の第２基板ボックスの角部を面取りすることにより、ケーブルの湾曲を許容するスペース、すなわち逃げ部を設けている。これにより、第１基板ボックスと第２基板ボックスと隣接配置した場合でも、ケーブルコネクタを過度に折り曲げることなく、余裕をもって撓ませて配線できるため、ケーブルコネクタへの悪影響も低減できる。ひいては、カバー体を両基板ボックスにより近づけて配置することも可能となるため、さらなる不正抑止効果の向上を図ることができる。なお、外部の電気部品の位置又はその端子部の位置と、当該電気部品等とケーブルコネクタを介して接続される制御基板の端子部の位置とが左右方向において異なる場合には、前記ケーブルコネクタに左右方向への撓みも加わるため、当該ケーブルコネクタがより大きく撓みやすく、上記不具合がさらに顕著に現われやすい。従って、このような構成下において、上記手段はより奏効することとなる。
【００２４】
結果として、基板ボックス等の設置スペースの有効利用を図るとともに、不正行為の抑制を図ることができる。
【００２５】
なお、上記第１基板ボックスと第２基板ボックスとの関係は、１対１の関係のみならず、１対複数の関係にも適用できる。つまり、第１基板ボックスの上下左右側部のうちの少なくとも一側部において第２基板ボックスが配置された構成において適用することができる。例えば第１基板ボックスの上側に１つと、左側に１つそれぞれ基板ボックスが設けられた構成に対応することができる。
【００２６】
また、両基板ボックスが「周壁部の一部が互いに隣接して配置され」ることには、両基板ボックスの周壁部が近接して配置されることは勿論のこと、当接して配置される場合も含まれる。
【００２７】
また、上記「第１制御基板の外部の電気部品」としては、例えば上記「第２制御基板」、「遊技領域に設けられ遊技者に有利な特別遊技状態を発生させる起因となる入球手段に対応して設けられた入球検出手段」、「遊技領域に設けられ遊技者に有利な特別遊技状態を発生させる際に作動させられる可変入賞装置に対応して設けられた駆動手段」、各種電気部品を中継する「中継基板」等が挙げられる。
【００２８】
手段２．前記コネクタと前記カバー体との距離が、前記コネクタの取外しに必要な距離（差込量）よりも短く設定されることを特徴とする手段１に記載の遊技機。
【００２９】
上記手段２によれば、カバー体が取外されない限り、ケーブルコネクタのコネクタの接続を解除することができなくなり、上記手段１の不正行為抑止効果がより確実に奏される。
【００３０】
手段３．前記面取り部の側へ前記ケーブルを誘導するガイド部を備えたことを特徴とする手段１又は２に記載の遊技機。
【００３１】
上記手段３によれば、ガイド部を備えることにより、面取り部の側、すなわち第１基板ボックスとは反対方向へケーブルを誘導して、ケーブルが湾曲した状態となるのを助長することができ、上記手段１の折曲げ抑制効果がより確実に奏される。
【００３２】
手段４．前記第２基板ボックスの内側に向け送風する送風手段を備えるとともに、
前記第２基板ボックスの面取り部において排気口を備えていることを特徴とする手段１乃至３のいずれかに記載の遊技機。
【００３３】
なお、一般的に、制御基板に実装されているＣＰＵ等の電子部品は発熱を伴うため、従来より制御装置においては、例えば制御基板を収納する基板ボックスに放熱孔を設けるなど電子部品から生じる熱を効率良く逃がすための種々の放熱対策がとられている。
【００３４】
また、近年では、演出機能の多様化などにより、制御基板には、処理速度の速いＣＰＵ等、より高性能な電子部品が搭載されるようになってきている。例えば、液晶表示装置などを制御する表示制御基板には、処理速度の速いＣＰＵや画像処理装置（ＶＤＰ）などが搭載され、より多彩な表示演出が可能となっている。
【００３５】
一般に、ＣＰＵ等の処理速度、つまり動作クロック周波数が上がると、それに伴って消費電力が大きくなり、発生する熱量も増加する。このように樹脂ケース内に多量の熱が発生するようになると、上述した放熱孔だけでは十分に熱を逃しきれず、電子部品の発する熱により制御装置が誤作動を起してしまうおそれがある。従って、高性能な電子部品を搭載した近年の制御装置では、冷却ファン等の送風手段を取付けるなど、より効率の高い放熱対策が求められる。
【００３６】
しかしながら、遊技機には、限られた設置スペースの中で制御装置など数多くの機器が設置されていることから、上記送風手段を備えた所定の制御装置（基板ボックス）に近接（又は当接）して他の制御装置が配置されることがある。この場合、両者の設置間隔が狭すぎると、十分な通気スペースが確保できず、送風手段を備えた制御装置の近接側壁面に開口した排気口からは効率よく排気を行うことができないことも懸念される。
【００３７】
このような不具合に鑑み、制御装置同士が近接配置される場合には、両制御装置を前後にずらして通気スペースを確保することも考えられるが、遊技機を設置する遊技ホールの島設備のスペースとの関係上、制御装置等の設置スペースを奥行き方向に拡張するにも限界がある。つまり、遊技機背面側に、制御装置など数多くの機器を設置する場合には、これら各種機器を上下左右方向のみならず、前後方向にも、よりコンパクトに配置したい。また、制御基板のサイズを大きくしたり、新たな機器を増設するための拡張性を確保するためにも、複数の制御装置が並設される場合には、できる限り、それらの前後方向における位置を一致させ、無駄なく効率よく配置し、遊技機背面側の機構が奥行き方向に拡大しないようにすることが好ましい。
【００３８】
この点、上記手段４によれば、第２基板ボックスの内側へ向け送風する送風手段を備えることにより、例えばＣＰＵ等の高熱を発する電子部品など所定の電子部品に対し、第２基板ボックス内の空気よりも冷たい外気を集中的に送風し、当該電子部品を効率良く冷却することができるようになる。
【００３９】
さらに、上記送風手段を備えた第２基板ボックスにおいて、第１基板ボックスと隣接した箇所に上記面取り部及びそこに開口した排気口を設けることにより、隣接した第１基板ボックスに妨げられることなく、通気性を十分に確保することができる。結果として、効率よく排気を行うことができ、放熱性能の低下を抑制することができる。
【００４０】
加えて、第１基板ボックスと隣接した箇所の周壁部から排気口を省略することも可能となる。このようにすれば、隣接する第１基板ボックスに対し熱風が吹きつけられることもなくなるため、隣接する第１基板ボックス（第１制御基板）に与える影響を低減することができる。ひいては、隣接した第１、第２両基板ボックス間に通気スペースを確保する必要もなくなるため、両基板ボックスを密着させることも可能となる。但し、この場合には、上記ケーブルコネクタを挿通する隙間部を形成する必要がある。その結果、両基板ボックスを互いに当接するまで拡張することが可能となり、制御基板の大型化にも良好に対処できるとともに、限られた設置スペースの有効利用を図ることができる。
【００４１】
結果として、第２基板ボックスの放熱性能を損なうことなく、両基板ボックスを設置するためのより大きなスペースを確保しやすくなる。
【００４２】
勿論、両基板ボックスを前後方向にずらして配置する必要もないため、前後方向における設置スペースの有効利用を図ることができる。つまり、基板ボックス等の設置スペースの奥行き方向への拡張を抑え、無駄なく効率よく、よりコンパクトに基板ボックス等を配置することができる。ひいては、新たな機器を増設するための拡張性を確保しつつ、遊技機を設置する遊技ホールの島設備等の設置スペースが比較的狭い場合にも良好に対処できる。
【００４３】
手段５．前記送風手段が、前記第２制御基板の実装面に相対向して配置されるとともに、
前記カバー体は、前記送風手段の設けられた範囲を覆っていることを特徴とする手段４に記載の遊技機。
【００４４】
上記手段５によれば、第２制御基板に実装された電子部品に対し効率よく外気を当てることができる。また、カバー体が、両基板ボックスの表壁部、すなわち送風手段の吸気側において当該送風手段に対向して配置されることにより、第２基板ボックス内への塵や埃等の異物の侵入を抑制することができる。結果として、塵や埃等の異物の侵入抑制と、電子部品の冷却効率の向上との両立を図ることができる。
【００４５】
手段６．前記送風手段は、前記第２制御基板に実装された電子部品のうち特定の電子部品に相対向して配置され、当該特定の電子部品に向けて送風することを特徴とする手段５に記載の遊技機。
【００４６】
上記手段６によれば、特定の電子部品を集中的に冷却することができるので、効率よく特定の電子部品を適正温度に保つことができる。
【００４７】
手段７．前記カバー体は、前記面取り部の設けられた範囲を覆うとともに、前記排気口に対応して排気孔を備えていることを特徴とする手段４乃至６のいずれかに記載の遊技機。
【００４８】
上述したようにカバー体を両基板ボックスに近づけて配置し、コネクタが取外されないようにした場合には、排気性能（放熱性能）が落ちるおそれがある。この点、上記手段７によれば、カバー体に排気孔を備えることにより、面取り部の排気口からの排気性能の低下を抑制することができる。
【００４９】
手段８．前記第１基板ボックス及び第２基板ボックスは、それぞれの前記表壁部の前後方向位置が同一又は略同一位置にとなるよう配設されていることを特徴とする手段１乃至７のいずれかに記載の遊技機。
【００５０】
上記手段８のような構成では、特にカバー体との隙間が生じにくいため、上記手段１の作用効果がより奏効することとなる。また、両基板ボックスをよりコンパクトに配置することができる。なお、両基板ボックスの前後幅が異なる場合や、配置構成など構造上の事情により、両基板ボックスの表壁部の位置が合わない場合には、一方の基板ボックスの裏側にスペーサ等を配置して両表壁部の位置を合わせることとなる。この際、場合によっては、一方の基板ボックスの裏側に比較的広いスペースを確保することができる場合もある。この場合、例えば、新たな機器を増設する場合等にも対応しやすくなり、遊技機の機種変更等に際して汎用性が高くなる。つまり、両基板ボックスの表壁部の位置を合わせることで、両基板ボックスをよりコンパクトに配置して、設置スペースの奥行き方向への拡張を抑えつつも、一方の基板ボックスの裏側のスペースを有効に活用できる。
【００５１】
手段９．前記第１制御基板は、遊技の統括的な制御を行う主制御基板であることを特徴とする手段１乃至８のいずれかに記載の遊技機。
【００５２】
上記手段９の主制御基板は、遊技機の制御に最も大きな影響を与える制御基板であるため、上述したような他の基板ボックスからの排熱回避効果や、不正行為の抑止効果がより奏効することとなる。
【００５３】
手段１０．前記第１基板ボックスは封印手段を備えた基板ボックスであることを特徴とする手段１乃至９のいずれかに記載の遊技機。
【００５４】
上記手段１０によれば、万が一第１基板ボックスが開封された場合には、封印手段に何らかの形跡が残り、それを確認することで不正行為を容易に発見することができる。そのため、不正行為の直接的な防止はもとより、不正行為を早期発見できるという側面からも不正行為の抑止を図ることができる。
【００５５】
以下に、上記各手段が適用される各種遊技機の基本構成を示す。
【００５６】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００５７】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００５８】
Ｃ．上記各手段における前記遊技機、又は、上記各弾球遊技機は、パチンコ機又はパチンコ機に準ずる遊技機であること。
【００５９】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００６０】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００６１】
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００６２】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００６３】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、後述する施錠装置６００の係止部材が係止される上下一対の受け金具が取付けられている。さらに、外枠１１下部には、樹脂製の幕板飾り８５が取着されている。
【００６４】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００６５】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００６６】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００６７】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００６８】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００６９】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００７０】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００７１】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図８参照）が設けられるとともに、当該スピーカＳＰの前側にスピーカカバー２４が取着されている。
【００７２】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００７３】
次に、内枠１２（樹脂ベース３８）について図４，図５を参照して説明する。図４は、内枠及び遊技盤の構成を示す正面図であり、図５は、内枠及び遊技盤の構成を示す背面図である。
【００７４】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００７５】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００７６】
また、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００７７】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、入球手段としての各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００７８】
また、第１契機対応口３３へ遊技球が入球したことを契機として大当たり抽選が行われ、当該大当たり抽選により当選結果が得られた場合には特別遊技状態としての大当たり状態が発生する。
【００７９】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００８０】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００８１】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００８２】
装飾図柄表示装置４２は、液晶表示装置であって、後述するサブ制御装置５６０によって表示内容が制御される。すなわち、装飾図柄表示装置４２においては、特別表示装置４３にて表示される結果に対応させるように、主制御装置２６１からのコマンドに基づき、サブ制御装置５６０によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。センターフレーム４７内には、各種ＬＥＤ等の発光手段や、当該ＬＥＤ等を駆動するＬＥＤ制御基板なども配設されている。
【００８３】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００８４】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００８５】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００８６】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００８７】
次に、パチンコ機１０の背面構成について図５，図６，図７を参照して説明する。パチンコ機１０の背面には、各種制御基板が上下左右に並べられるようにして、一部前後に重ねられるようにして配置されている。さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主制御基板としての主基板だけを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００８８】
まず、遊技盤３０の背面構成について説明する。上述したように遊技盤３０の中央にはルータ加工によって形成された貫通穴に対して可変表示装置ユニット３５が配設されている。
【００８９】
可変表示装置ユニット３５の後部には、センターフレーム４７を背後から覆う樹脂製のフレームカバー２１３が後方に突出して設けられている。但し、本実施形態では、センターフレーム４７が遊技盤３０の前面側に固定され、フレームカバー２１３が遊技盤３０の裏面に固定されることによって、可変表示装置ユニット３５として一体化される構成となっている。そして、このフレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側にはサブ制御装置５６０が取付けられている。
【００９０】
ここで、まず装飾図柄表示装置４２及び表示制御装置４５の構造についてより詳しく説明する。
【００９１】
図９に示すように、ユニット化された装飾図柄表示装置４２及び表示制御装置４５では、樹脂材料等よりなる略長方形状のベースプレート６４５の前側に装飾図柄表示装置４２が配設され、ベースプレート６４５の後側に表示制御装置４５が配設されている。
【００９２】
ベースプレート６４５の前面側には、装飾図柄表示装置４２の本体部となる液晶表示器（液晶パネル）６４７が配設されている。液晶表示器６４７は、表示器として液晶を用いたディスプレイであり、略長方形状をなす薄板状に形成されている。
【００９３】
さらに、液晶表示器６４７の前面には、当該液晶表示器６４７を保護するための透明な保護パネル６４８が配設されている。
【００９４】
また、ベースプレート６４５の前面側には、液晶表示器６４７及び保護パネル６４８を重ね合わせた状態で係り止める窓枠フレーム６４９が配設される。窓枠フレーム６４９は後述するユニットカバー６５４に係止される。
【００９５】
一方、表示制御装置４５は、各種電子部品が実装された表示制御基板６５０を具備しており、この表示制御基板６５０がベースプレート６４５の背面側に取付けられている。そして、ベースプレート６４５の背面側には、透明樹脂材料等よりなるユニットカバー６５４が表示制御基板６５０を覆うように取付けられている。従って、ベースプレート６４５及びユニットカバー６５４により表示制御基板６５０を収容する基板ボックスが構成される。当該基板ボックスが本実施形態における第２基板ボックスに相当する。つまり、表示制御基板６５０が本実施形態における第２制御基板に相当する。
【００９６】
ユニットカバー６５４は、表示制御基板６５０の実装面と相対向して略平坦に形成された略長方形状の背壁部６５５と、当該背壁部６５５の周縁部に沿って形成された上下左右の側壁部６５６とから形成されており、ベースプレート６４５側が開口面となった略箱形状に形成されたものである。背壁部６５５が本実施形態における第２基板ボックスの表壁部に相当し、ベースプレート６４５が裏壁部に相当し、側壁部６５６が周壁部に相当する。
【００９７】
ユニットカバー６５４の背壁部６５５には、表示制御基板６５０に設けられた端子部６５８，６５９を外部に露出させるための端子部窓６６０が形成されている。この端子部窓６６０を介して表示制御装置４５の外側から表示制御基板６５０の端子部６５８，６５９へのケーブルコネクタのコネクタ等の抜き差しが可能となる。
【００９８】
ユニットカバー６５４の上下左右の側壁部６５６には、それぞれ通気用の小孔群６６２が開口形成されている。本実施形態では、これらの小孔群６６２が排気口として機能する。なお、図１１等からも分かるとおり、小孔群６６２を構成する小孔には、小さな円形小孔６６２ａと、より大きな長孔６６２ｂの２種類がある。これは故障等の発生防止や不正防止の観点からであり、異物等が接触してほしくない電子部品が側壁部６５６の近傍に配置されている場合には当該箇所に対応して円形小孔６６２ａが設けられる。また、後述するＣＰＵ５２１やＶＤＰ５２６など、より重要な電子部品が側壁部６５６の近傍に配置されている場合などには、小孔群６６２が形成されないようにしてもよい。
【００９９】
なお、図５〜７からも分かるように、パチンコ機１０には、背面側の限られた設置スペースの中に多くの機器が設置されている。このため、各種機器が隣接して配設されている。例えば、表示制御装置４５の下方に主制御装置２６１が隣接して配置されている。図７に示すように、本実施形態では両者の設置間隔が比較的狭いため、十分な通気スペースが確保できず、ユニットカバー６５４の下側の側壁部６５６の小孔群６６２（図１２参照）からは効率よく排気を行うことができないことも懸念される。これに鑑み、本実施形態では、図１２に示すように、ユニットカバー６５４の下部の所定箇所、具体的には後述する冷却ファン６７５の下方位置にて、背壁部６５５と下側の側壁部６５６との連接部分に面取り部としての傾斜壁部６６５を形成するとともに、当該傾斜壁部６６５において斜め排気口６６６を形成した。下側の側壁部６５６の小孔群６６２に加えて、このような構成を採用することで、表示制御装置４５の後方又は斜め後方に向けて排気できるため、放熱性能の低下を抑制することができる。
【０１００】
さらに、背壁部６５５には、後述する冷却ファン６７５に対応して、後方へ突出したファンダクト部６６３が形成されている。ファンダクト部６６３の頂部には通気孔６６４が形成されている。本実施形態では、通気孔６６４が冷却用の外気を導入するための吸気口として機能する。
【０１０１】
また、表示制御基板６５０は、各種電子部品が実装された実装面６５０ａとユニットカバー６５４の背壁部６５５との間、及び、基板裏面６５０ｂとベースプレート６４５との間にそれぞれ所定の隙間が確保されるように取付けられている（図１４参照）。
【０１０２】
表示制御基板６５０には、後述するようなＣＰＵ５２１、プログラムＲＯＭ５２２、ワークＲＡＭ５２３、ビデオＲＡＭ５２４、キャラクタＲＯＭ５２５、ＶＤＰ５２６などの各種電子部品が実装されている。また、表示制御基板６５０は、端子部６５７を介して図示しないケーブルコネクタにより液晶表示器６４７（装飾図柄表示装置４２）と電気的に接続されている。従って、端子部６５７により後述する出力ポート５２９が構成される。また、上記端子部６５８，６５９により後述する入力ポート５２７が構成される。
【０１０３】
さらに、本実施形態では、表示制御基板６５０上において、発熱量の多い集積回路であるＣＰＵ５２１及びＶＤＰ５２６により発せられる熱を放熱するためのヒートシンク（放熱板）６７０が載置されている。
【０１０４】
本実施形態におけるヒートシンク６７０は、熱伝導率のよいアルミニウム合金等により略平板状に形成されている。このうち、ＣＰＵ５２１及びＶＤＰ５２６に対応する領域が曲げ加工により段差状の当接部６７１となっており、当該当接部６７１の裏面がＣＰＵ５２１及びＶＤＰ５２６に面接触している。従って、ＣＰＵ５２１及びＶＤＰ５２６により発せられた熱は、ヒートシンク６７０側に伝導され、ヒートシンク６７０から放熱される。その結果、ＣＰＵ５２１及びＶＤＰ５２６が冷却される。本実施形態におけるヒートシンク６７０では、多数の放熱フィン等が省略されているため、表示制御装置４５部分を比較的薄型に形成することができる。
【０１０５】
なお、ＣＰＵ５２１及びＶＤＰ５２６の上面には、非導電性で伝熱性能のよいシリコンゴム板６７３が貼付けられている（図１４参照）。つまり、ＣＰＵ５２１及びＶＤＰ５２６と、ヒートシンク６７０の当接部６７１は、シリコンゴム板６７３を介して当接している。このシリコンゴム板６７３は、熱伝導率の高い成分を含むと共に弾性を有する薄いゴム板である。これにより、ＣＰＵ５２１及びＶＤＰ５２６と、ヒートシンク６７０の当接部６７１は隙間なく密着される。もちろん、これに限らず、シリコングリスや伝熱性テープ等の非導電性の伝熱性緩衝体を介して当接することとしてもよい。
【０１０６】
さらに、ヒートシンク６７０には、当接部６７１の後方位置において、当該当接部６７１を介してＶＤＰ５２６と相対向するように送風手段としての冷却ファン６７５が取付けられている。この冷却ファン６７５は、ユニットカバー６５４の組付け時において上述したファンダクト部６６３内に差込まれた状態となる。従って、ＶＤＰ５２６が本実施形態における特定の電子部品に相当する。
【０１０７】
冷却ファン６７５は、薄型の軸流式のものであって、ハウジング６８０内に、複数の羽根からなるファン６８１と、当該ファン６８１を駆動するモータ６８２とが収容されている。冷却ファン６７５には、表示制御基板６５０を介して駆動電力が供給される。
【０１０８】
上記構成により、冷却ファン６７５を駆動すると、ファンダクト部６６３を介して吸い込まれた外気がユニットカバー６５４（表示制御装置４５）内へ導入され、ヒートシンク６７０に吹き付けられる。そして、当該外気は、ヒートシンク６７０との間で熱交換がなされた後、ユニットカバー６５４内を通り、上下左右の側壁部６５６の小孔群６６２や、傾斜壁部６６５の斜め排気口６６６より外部に排出される。これにより、ＣＰＵ５２１及びＶＤＰ５２６が冷却される。
【０１０９】
上記のように構成された装飾図柄表示装置４２及び表示制御装置４５は、上記窓枠フレーム６４９と上記ユニットカバー６５４とを組付けることにより一体化（ユニット化）される。より詳しくは、窓枠フレーム６４９には複数の係止爪６４９ａが形成され、これに対応してユニットカバー６５４には前記係止爪６４９ａが係止される係止孔６８３が形成されている。そして、窓枠フレーム６４９及びユニットカバー６５４が係止されることで略箱状のハウジングが構成され、この中に装飾図柄表示装置４２及び表示制御装置４５が収容されて一体化された状態となる。
【０１１０】
さらに、背面右上及び左下の２箇所の係止孔６８３にはそれぞれ封止部材６８６が嵌め込まれている。封止部材６８６は一旦嵌め込まれると取外し不能となるとともに、係止爪６４９ａの弾性変形を規制する。これにより窓枠フレーム６４９及びユニットカバー６５４が開封不能に連結された状態となる。但し、封止部材６８６を切断する等して取外すことにより、窓枠フレーム６４９及びユニットカバー６５４は開封可能となる。従って、封止部材６８６による封止処理は、その封止後の不正な開封を防止し、また万一不正開封が行われてもそのような事態を早期に且つ容易に発見可能とする。
【０１１１】
さて、本実施形態では、図１０〜１３に示すように、ユニットカバー６５４の背壁部６５５にはサブ制御装置５６０が載置されている。図１０は、ユニットカバー６５４にサブ制御装置５６０が載置された状態を示す上記ユニット（装飾図柄表示装置４２及び表示制御装置４５）の背面図であり、図１１，１２はその斜視図である。また、図１３は、ユニットカバー６５４からサブ制御装置５６０が取外された状態を示す上記ユニットの分解斜視図である。
【０１１２】
サブ制御装置５６０は、後述するように主制御装置２６１（主基板２６２）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板５６１を具備しており、このサブ制御基板５６１が透明樹脂材料等よりなる基板ボックス５６２に収容されて構成されている。
【０１１３】
基板ボックス５６２は、ボックスベース５６３と該ボックスベース５６３を覆うボックスカバー５６４とからなる（図１４参照）。
【０１１４】
ボックスベース５６３の裏面には、図示しない係合爪部が形成されており、当該係合爪部が上記ユニットカバー６５４の背壁部６５５に形成された係合孔部６８４に係合されることによりサブ制御装置５６０（基板ボックス５６２）が固定される。
【０１１５】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品であって、各種入賞口に入賞した遊技球を回収するための球回収機構２１６を備えている。また、第２制御基板ユニット２０２には、球回収機構２１６の下方位置において排出通路部２１７が形成されており、該排出通路部２１７には排出球をパチンコ機１０外部へ排出する排出シュート２１８が形成されている（図６参照）。従って、一般入賞口３１等に入賞した遊技球は何れも裏枠セット２１５の球回収機構２１６を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【０１１６】
ここで、装飾図柄表示装置４２、表示制御装置４５及びサブ制御装置５６０をユニット化したもの（以下、表示装置組付体という）を上記フレームカバー２１３に取付け、センターフレーム４７と一体化して、可変表示装置ユニット３５とする手順について説明する。取付順序としては、まず表示装置組付体をフレームカバー２１３に対して傾斜させ、ユニットカバー６５４の下部の側壁部６５６に形成された位置決め部材６９０を、フレームカバー２１３に形成された下側受部６９１（図５参照）に挿入しつつ、表示装置組付体を徐々に垂直状態にしていき、フレームカバー２１３に嵌め込んでいく。そして、表示装置組付体が完全に嵌め込まれた状態で、ユニットカバー６５４の上部の側壁部６５６に形成されたスライドバー６９２を操作して外方向へスライドさせる。そして、スライドバー６９２の先が、フレームカバー２１３に形成されたバー受部６９３（図５参照）に差込まれ係合される。このようにして、表示装置組付体はフレームカバー２１３に固定された状態となるとともに、センターフレーム４７と一体化した状態となる。
【０１１７】
さらに、遊技盤３０の裏面には、各種入賞口などの遊技球の通過を検出するための入球検出手段としての検出スイッチなどが設けられている。具体的には、遊技盤３０表側の一般入賞口３１に対応する位置には入賞口スイッチ２２１が設けられ、可変入賞装置３２にはカウントスイッチ２２３が設けられている。カウントスイッチ２２３は可変入賞装置３２に入賞した遊技球をカウントするスイッチである。また、第１契機対応口３３に対応する位置には第１契機対応口（始動口）スイッチ２２４が設けられ、第２契機対応口３４に対応する位置には第２契機対応口（ゲート）スイッチ２２５が設けられている。
【０１１８】
入賞口スイッチ２２１、カウントスイッチ２２３及び第２契機対応口（ゲート）スイッチ２２５は、ケーブルコネクタを介して第１盤面中継基板２２６に接続され、さらにこの第１盤面中継基板２２６が後述する主基板２６２（主制御装置２６１）にケーブルコネクタを介して接続されている。これに対し、第１契機対応口（始動口）スイッチ２２４は中継基板を経ることなく直接主基板２６２にケーブルコネクタを介して接続されている。
【０１１９】
その他図示は省略するが、可変入賞装置３２には、大入賞口を開放するための駆動手段としての大入賞口ソレノイドが設けられ、第１契機対応口３３には、電動役物を開放するための駆動手段としての第１契機対応口（始動口）ソレノイドが設けられている。これら大入賞口ソレノイド及び第１契機対応口（始動口）ソレノイドはケーブルコネクタを介して第２盤面中継基板２２７に接続され、さらにこの第２盤面中継基板２２７がやはりケーブルコネクタを介して主基板２６２に接続されている。
【０１２０】
上記検出スイッチにて各々検出された検出結果は、後述する主基板２６２（主制御装置２６１）に取り込まれ、該主基板２６２よりその都度の入賞状況に応じた払出指令（遊技球の払出個数）が払出制御基板に送信される。そして、該払出制御基板の出力により所定数の遊技球の払出しが実施される。本実施形態のパチンコ機１０では、各種入賞口毎に遊技球の入賞を電気的に感知して払出しが直ちに行われる。
【０１２１】
さて、第１制御基板ユニット２０１に設けられた主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板２６２を具備しており、この主基板２６２が透明樹脂材料等よりなる基板ボックス２６３に収容されて構成されている。主基板２６２が本実施形態における第１制御基板に相当し、これを収容した基板ボックス２６３が第１基板ボックスに相当する。
【０１２２】
なお、基板ボックス２６３は、略直方体形状のボックスベース２６５と該ボックスベース２６５を覆うボックスカバー２６６とを備えている（図１５参照）。
【０１２３】
また、ボックスカバー２６６は、主基板２６２の実装面と相対向して略平坦に形成された略長方形状の背壁部２６７と、当該背壁部２６７の周縁部に沿って形成された上下左右の側壁部２６８とから形成されており、ボックスベース２６５側が開口面となった略箱形状に形成されたものである。背壁部２６６が本実施形態における第１基板ボックスの表壁部に相当し、ボックスベース２６５が裏壁部に相当し、側壁部２６８が周壁部に相当する。
【０１２４】
さて、裏枠セット２１５に取付けられる第１制御基板ユニット２０１のベース部２０１ａは、主制御装置２６１を搭載する基板搭載部２０１ｂが、裏枠セット２１５から離間した状態で設けられており、両者間には隙間が形成されている。つまり、第１制御基板ユニット２０１を遊技盤３０（裏枠セット２１５）に装着した状態では、基板搭載部２０１ｂの裏側にスペースが確保され、可変入賞装置３２やその電気配線等が無理なく設置できるようになっている。
【０１２５】
そして、第１制御基板ユニット２０１の組付け状態においては、図１５に示すように、主制御装置２６１と上記表示制御装置４５とが、前後方向における互いの配置位置が重なるように上下に並んで配置されることとなる。なお、図１５は、主制御装置２６１及び表示制御装置４５等が遊技盤３０裏面に配設された状態を示す、図６のＬ−Ｌ線部分断面図であるが、便宜上、遊技盤３０前面に配設される釘や役物、センターフレーム４７などは省略されている。
【０１２６】
ここで、主制御装置２６１（基板ボックス２６３）の背壁部２６７と、表示制御装置４５のファンダクト部６６３の頂部との前後方向位置（図１５左右方向）が略同一位置となっている。これは、主制御装置２６１や表示制御装置４５等の設置スペースの奥行き方向への拡張を抑え、無駄なく効率よく、よりコンパクトに主制御装置２６１や表示制御装置４５等を配置しつつも、上述した基板搭載部２０１ｂの裏側のスペースを最大限広く確保するためである。基板搭載部２０１ｂの裏側のスペースを比較的広く確保することで、例えば、より大きな役物を遊技盤３０面に配置した場合等にも対応しやすくなり、機種変更等に際して汎用性が高くなる。なお、本実施形態では、ファンダクト部６６３がユニットカバー６５４の背壁部６５５より後方へ突出しているため、このような構成となっているが、ファンダクト部６６３が突出していない構成であれば、主制御装置２６１の背壁部２６７と、表示制御装置４５の背壁部６５５との前後方向位置が略同一位置となる構成が好ましい。
【０１２７】
また、図７に示すように、これらボックスベース２６５とボックスカバー２６６とは左右の封印ユニット２６４Ａ，２６４Ｂによって連結されており、基板ボックス２６３が開封された場合には、封印ユニット２６４Ａ，２６４Ｂにおいて所定の痕跡が残るよう構成されている。これにより、基板ボックス２６３が不正に開封された旨を容易に発見することができる。封印ユニット２６４Ａ，２６４Ｂによって本実施形態における封印手段が構成される。
【０１２８】
封印ユニット２６４Ａ，２６４Ｂはボックスベース２６５とボックスカバー２６６とを開封不能に連結する構成であれば任意の構成が適用できるが、本実施形態では左側の封印ユニット２６４Ａは３つの封印部材が連結された構成となっており、右側の封印ユニット２６４Ｂは２つの封印部材が連結された構成となっている。そして、これら封印部材の長孔に係止爪を挿入することでボックスベース２６５とボックスカバー２６６とが開封不能に連結されるようになっている。封印ユニット２６４Ａ，２６４Ｂによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４Ａ，２６４Ｂを構成する５つの封印部材のうち、少なくとも一つの封印部材の長孔に係止爪を挿入することにより封印処理が行われる。そして、収容した主基板２６２の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見できる。
【０１２９】
また、図７、図１５に示すように、主基板２６２の上縁部近傍には、各種ケーブルコネクタのコネクタを接続するための複数の端子部７０１，７０２，７０３，７０４，７０５が左右方向に沿って並設されている。各端子部７０１〜７０５は、主基板２６２に突出形成されており、ボックスカバー２６６の上部に形成された凹部（退避部）２６６ａに開口した孔部２６６ｂを介して基板ボックス２６３外に露出状態となっている。なお、端子部７０１〜７０５及びこれらに接続される各ケーブルコネクタの構成は同様でありかつ一般的なものであるため、便宜上、図７においては各ケーブルコネクタの図示を省略するとともに、図１５においては端子部７０３及びこれに接続されたケーブルコネクタＣＣのみを一例として図示している。
【０１３０】
端子部７０１には、一方がサブ制御装置５６０に接続されるケーブルコネクタの他方のコネクタが接続される。本実施形態では、主基板２６２は、このケーブルコネクタ、すなわちサブ制御装置５６０を介して普通図柄表示装置４１及び特別表示装置４３と電気的に接続される。
【０１３１】
また、端子部７０２には、払出制御装置３１１に繋がるケーブルコネクタのコネクタが接続される。端子部７０３には、入賞口スイッチ２２１等との中継機能を果たす第１盤面中継基板２２６に繋がるケーブルコネクタＣＣのコネクタＣＮが接続される。端子部７０４には、第１契機対応口スイッチ２２４に繋がるケーブルコネクタのコネクタが接続される。端子部７０５には、大入賞口ソレノイドや第１契機対応口ソレノイド等との中継機能を果たす第２盤面中継基板２２７に繋がるケーブルコネクタのコネクタが接続される。
【０１３２】
上述したように、端子部７０１〜７０５は、パチンコ機１０の背面側に向けて突出しているため、ケーブルコネクタＣＣのコネクタＣＮ等の取付け方向はパチンコ機１０の前面側方向（図１５左方向）となり、コネクタＣＮ等の取外し方向はパチンコ機１０の背面側方向（図１５右方向）となる。
【０１３３】
そして、後述する裏パック３５１（裏パックユニット２０３）の閉鎖状態では、少なくともこれら各端子部７０１〜７０５に接続されたケーブルコネクタＣＣのコネクタＣＮ等の抜け方向側を覆うようにして、後述する保護カバー部３５４が配される。図１５に示すように、裏パック３５１の閉鎖状態における保護カバー部３５４とコネクタＣＮ等との距離は、コネクタＣＮ等の取り外しに必要な距離（差込量）よりも短くなっている。従って、裏パック３５１が開放されない限り、ケーブルコネクタＣＣのコネクタＣＮ等の接続を解除することができない。つまり、コネクタＣＮ等を不正に取り外した上で、所謂ぶら下げ基板を装着したり、主基板２６２を不正品に取り替える等の悪質な行為を行おうとしても、保護カバー部３５４が邪魔をしてコネクタＣＮ等の取外しが事実上不可能となっていることから、そのような行為を抑止することができる。しかも、本実施形態では、裏パックユニット２０３が施錠される構成となっているため、その効果はより確実なものとなる。
【０１３４】
なお、上記各種ケーブルコネクタのうち、第１盤面中継基板２２６のケーブルコネクタＣＣのコネクタＣＮ、第１契機対応口スイッチ２２４のケーブルコネクタ、及び第２盤面中継基板２２７のケーブルコネクタは、遊技盤３０の背面側から、主制御装置２６１と表示制御装置４５との間の隙間を介して、主制御装置２６１の背面側へ通されている。
【０１３５】
より詳しくは、表示制御装置４５のユニットカバー６５４の傾斜壁部６６５の形成区間をケーブルコネクタＣＣ等が通るように設計されている。
【０１３６】
これは、表示制御装置４５と主制御装置２６１とが隣接して配置され、両者間の隙間が狭くなっていることに起因して、ケーブルコネクタＣＣのケーブルＣＡ等が過度に折り曲げられることを抑制するための工夫である。つまり、表示制御装置４５（ユニットカバー６５４）のうち、主制御装置２６１と隣接する側である下側の後コーナー部において当該コーナー部を面取りしたような傾斜壁部６６５が形成されていることにより、ケーブルコネクタＣＣのケーブルＣＡ等の湾曲を許容するスペース、すなわち逃げ部が形成されることとなる。これにより、表示制御装置４５と主制御装置２６１とを隣接配置した場合でも、ケーブルコネクタＣＣのケーブルＣＡ等を過度に折り曲げることなく、余裕をもって撓ませて配線できるため、ケーブルコネクタＣＣへの悪影響も低減することができる。
【０１３７】
また、通常、ケーブルコネクタＣＣのケーブルＣＡ等の長さは、上記各端子部７０１〜７０５との接続作業等を考慮して長めに設定されているため、仮にケーブルＣＡ等の余剰部分が表示制御装置４５側ではなく主制御装置２６１側へ撓んでしまうと、ケーブルＣＡ等の余剰部分が垂れ下がり、保護カバー部３５４の下端からはみ出してしまう場合もある。このような状態では、上述したような「ぶら下げ」等の不正行為が行われてしまうおそれがあるとともに、主制御装置２６１の内部の視認が妨げられ、不正行為等の早期発見が遅れてしまうおそれもある。この点、本実施形態によれば、表示制御装置４５側に上記傾斜壁部６６５が形成されることにより、表示制御装置４５側への撓みが助長されるため、このような不具合は発生しにくい。
【０１３８】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【０１３９】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【０１４０】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１４１】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【０１４２】
次に、裏パックユニット２０３の構成を説明する。裏パックユニット２０３は、樹脂成形された裏パック３５１と遊技球の払出機構部３５２とを一体化したものである。
【０１４３】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖されかつ前面及び下面が開放された形状をなし、少なくとも可変表示装置ユニット３５を囲むのに十分な大きさを有する。但し、本実施形態では、主制御装置２６１の一部も合わせて覆う構成となっている。保護カバー部３５４により、後述する上部のタンク３５５等から落下してくる遊技球等から可変表示装置ユニット３５が保護される。保護カバー部３５４が本実施形態におけるカバー体を構成する。
【０１４４】
また、保護カバー部３５４の背面には多数の通気孔３５４ａが設けられている。但し、表示制御装置４５の冷却ファン６７５の後方位置には通気孔３５４ａが設けられていない。これは、表示制御装置４５内への塵や埃等の異物の侵入を抑制するためである。これに対し、表示制御装置４５の傾斜壁部６６５及び斜め排気口６６６の後方位置には、当該斜め排気口６６６の排気性能を低下させることのないよう、排気孔として機能する前記通気孔３５４ａが設けられている。また、上記ケーブルコネクタＣＣのコネクタＣＮ等への不正行為を抑制するために、コネクタＣＮ等の後方位置には通気孔３５４ａが設けられていない。
【０１４５】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【０１４６】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１４７】
次に、パチンコ機１０の電気的構成について説明する。図８は、本パチンコ機１０の電気的構成を示すブロック図である。パチンコ機１０の主制御装置２６１（主基板２６２）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１４８】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１４９】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１５０】
かかるＲＯＭ５０２及びＲＡＭ５０３を内蔵したＣＰＵ５０１には、アドレスバス及びデータバスで構成されるバスライン５０４を介して入出力ポート５０５が接続されている。なお、入出力ポート５０５は、上記端子部７０１〜７０５等によって構成される。入出力ポート５０５には、後述するＲＡＭ消去スイッチ回路５４３、払出制御装置３１１、サブ制御装置５６０、特別表示装置４３、普通図柄表示装置４１が接続されている。その他、便宜上、図示は省略するが、上記第１契機対応口スイッチ２２４等の各種検出スイッチや、第１盤面中継基板２２６等の各種基板などの各種電気部品が接続されている。この構成により、上述した特別表示装置４３および普通図柄表示装置４１は、主制御装置２６１により直接的に制御される。一方、装飾図柄表示装置４２は、サブ制御装置５６０を介して制御される。
【０１５１】
サブ制御装置５６０（サブ制御基板５６１）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１５２】
入出力ポート５５４には、バスライン５５５を介してＣＰＵ５５１、ＲＯＭ５５２、ＲＡＭ５５３が接続されている。さらに、入出力ポート５５４には、表示制御装置４５、スピーカＳＰ、各種電飾部及びランプ１０２〜１０４等が接続されている。
【０１５３】
サブ制御装置５６０のＣＰＵ５５１は、例えば主制御装置２６１から送信される指令信号（例えば変動パターンコマンド）に基づいて表示制御装置４５に表示制御を実行させ、装飾図柄表示装置４２に表示させる。さらに、サブ制御装置５６０は、音声やランプ表示の制御を司る。なお、上記のように、本実施形態では、主制御装置２６１が制御する特別表示装置４３にて大当たりか否かを表示するようになっており、サブ制御装置５６０が制御する装飾図柄表示装置４２では、前記特別表示装置４３の表示に合わせた表示が行われる。
【０１５４】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１５５】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１５６】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１５７】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１５８】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１５９】
表示制御装置４５は、サブ制御装置５６０からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置５６０の入出力ポート５５４が接続されている。また、入力ポート５２７には、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１６０】
表示制御装置４５のＣＰＵ５２１は、サブ制御装置５６０から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行なう。
【０１６１】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１６２】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１６３】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１６４】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１６５】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１６６】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１６７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１６８】
以上詳述したように、本実施形態では、裏パック３５１の閉鎖状態では、少なくともこれら各端子部７０１〜７０５に接続されたケーブルコネクタＣＣのコネクタＣＮ等の抜け方向側を覆うようにして、保護カバー部３５４が配される。裏パック３５１の閉鎖状態における保護カバー部３５４とコネクタＣＮ等との距離は、コネクタＣＮ等の取り外しに必要な距離（差込量）よりも短くなっている。従って、裏パック３５１が開放されない限り、ケーブルコネクタＣＣのコネクタＣＮ等の接続を解除することができない。つまり、コネクタＣＮ等を不正に取り外した上で、所謂ぶら下げ基板を装着したり、主基板２６２を不正品に取り替える等の悪質な行為を行おうとしても、保護カバー部３５４が邪魔をしてコネクタＣＮ等の取外しが事実上不可能となっていることから、そのような行為を抑止することができる。しかも、本実施形態では、裏パックユニット２０３が施錠される構成となっているため、その効果はより確実なものとなる。
【０１６９】
また、本実施形態では、表示制御装置４５と主制御装置２６１とが隣接して配置され、両者間の隙間が狭くなっていることに起因して、ケーブルコネクタＣＣのケーブルＣＡ等が過度に折り曲げられることを抑制するための工夫が施されている。つまり、表示制御装置４５（ユニットカバー６５４）のうち、主制御装置２６１と隣接する側である下側の後コーナー部において当該コーナー部を面取りしたような傾斜壁部６６５が形成されていることにより、ケーブルコネクタＣＣのケーブルＣＡ等の湾曲を許容するスペース、すなわち逃げ部が形成されている。これにより、表示制御装置４５と主制御装置２６１とを隣接配置した場合でも、ケーブルコネクタＣＣのケーブルＣＡ等を過度に折り曲げることなく、余裕をもって撓ませて配線できるため、ケーブルコネクタＣＣへの悪影響も低減することができる。
【０１７０】
結果として、主制御装置２６１等の設置スペースの有効利用を図るとともに、不正行為の抑制を図ることができる。
【０１７１】
また、本実施形態では、表示制御装置４５の傾斜壁部６６５において斜め排気口６６６を形成した。このような構成を採用することで、隣接した主制御装置２６１に妨げられることなく、表示制御装置４５の通気性を十分に確保することができる。結果として、効率よく排気を行うことができ、放熱性能の低下を抑制することができる。
【０１７２】
換言すれば、表示制御装置４５と主制御装置２６１とを互いに略当接するまで拡張することも可能となり、制御基板の大型化にも良好に対処できるとともに、限られた設置スペースの有効利用を図ることができる。勿論、表示制御装置４５と主制御装置２６１とを前後方向にずらして配置する必要もないため、前後方向における設置スペースの有効利用を図ることもできる。つまり、主制御装置２６１等の設置スペースの奥行き方向への拡張を抑え、無駄なく効率よく、よりコンパクトに主制御装置２６１等を配置することができる。ひいては、新たな機器を増設するための拡張性を確保しつつ、遊技機を設置する遊技ホールの島設備等の設置スペースが比較的狭い場合にも良好に対処できる。
【０１７３】
なお、上述した実施形態の記載内容に限定されず、例えば次のように実施してもよい。
【０１７４】
（ａ）上記実施形態では、冷却ファン６７５を備えた構成を表示制御装置４５に適用するとともに、当該表示制御装置４５と主制御装置２６１との隣接関係において、本発明を適用した例を示したが、これに限らず、例えば両者が逆の立場、すなわち主制御装置２６１が冷却ファン６７５と同様の冷却ファンを備えるとともに、主制御装置２６１に上記傾斜壁部６６５及び斜め排気口６６６と同様の傾斜壁部及び斜め排気口を設けた構成としてもよい。また、主制御装置２６１と払出制御装置３１１との関係など、他の制御装置の関係において本発明を適用してもよい。勿論、１対１の関係のみならず、１対複数の関係にも適用できる。例えば、主制御装置２６１の上方に表示制御装置４５が隣接して配置されていることに加え、下方に払出制御装置３１１が隣接して配置されるとともに、当該払出制御装置３１１において上記傾斜壁部６６５及び斜め排気口６６６と同様の傾斜壁部及び斜め排気口を形成した構成としてもよい。
【０１７５】
勿論、冷却ファンを備えていない制御装置同士が隣接配置された構成に適用してもよい。この場合、傾斜壁部から斜め排気口を省略してもよい（図１７参照）。
【０１７６】
（ｂ）上記実施形態では、冷却ファン６７５がＶＤＰ５２６に相対向して配置され、当該ＶＤＰ５２６に向けて送風する構成となっている。これに限らず、冷却ファン６７５は、少なくとも表示制御装置４５の内側に向けて送風するように配設されていればよい。例えばＶＤＰ５２６から外れた位置において表示制御基板６５０の実装面に相対向するように配設されていてもよい。従って、このように配設されていれば、ＣＰＵ５２１など他の電子部品に相対向して配設されていてもよい。
【０１７７】
（ｃ）上記実施形態では、ユニットカバー６５４の背壁部６５５から突出するようにファンダクト部６６３が形成され、その頂部に吸気口としての複数の通気孔６６４が形成されている。これに限らず、例えばファンダクト部６６３を省略し、ユニットカバー６５４の背壁部６５５が略平板状となった構成としてもよい。このようにすれば、上記実施形態以上に、表示制御装置４５と主制御装置２６１とを前後方向によりコンパクトに配置することができる。
【０１７８】
また、冷却ファン６７５全体が外部に臨むように、当該冷却ファン６７５と同等の大きさの吸気口を備えた構成としてもよい。このようにすれば、吸気性能の向上を図ることができる。しかし、安全性を向上する上では、上記実施形態のように小さな通気孔６６４を複数備え、冷却ファン６７５内へ指などを差し込めない構成とすることが好ましい。
【０１７９】
（ｄ）上記実施形態では、表示制御装置４５と主制御装置２６１とが近接状態で配置されているが、これに限らず、両者が当接状態で配置された構成としてもよい。この場合、例えば、図１６に示すように、下側の側壁部６５６においては小孔群６６２を省略した構成としてもよい。このようにすれば、下方の主制御装置２６１に対し熱風が吹きつけられることもなくなるため、主制御装置２６１に与える影響を低減することができる。ひいては、表示制御装置４５と主制御装置２６１との間に通気スペースを確保する必要もなくなるため、両制御装置４５，２６１を密着させることも可能となり、限られた設置スペースの有効利用を図ることができる。この場合、両制御装置４５，２６１の少なくとも一方にケーブルコネクタＣＣ等を通すための凹部を形成した構成としてもよい。
【０１８０】
（ｅ）表示制御装置４５の傾斜壁部６６５において、当該傾斜壁部６６５の側へケーブルコネクタＣＣのケーブルＣＡ等を誘導するガイド部を備えた構成としてもよい。例えば図１７に示すように、斜め排気口６６６の省略された傾斜壁部６６５において、ケーブルＣＡ等を引っ掛ける掛止部９００を備えた構成としてもよい。これにより、傾斜壁部６６５の側、すなわち主制御装置２６１とは反対方向へケーブルＣＡ等を誘導して、ケーブルＣＡ等が湾曲した状態となるのを助長することができ、ケーブルＣＡ等の折曲げ抑制効果がより確実に奏される。
【０１８１】
（ｆ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０１８２】
１０…パチンコ機、４２…装飾図柄表示装置、４５…表示制御装置、２６１…主制御装置、３５４…保護カバー部、３５４ａ…通気孔、６５４…ユニットカバー、６７５…冷却ファン、６６５…傾斜壁部、６６６…斜め排気口、ＣＣ…ケーブルコネクタ、ＣＡ…ケーブル、ＣＮ…コネクタ。
【図１】
2020127754.tif 000003
【図２】
2020127754.tif 000004
【図３】
2020127754.tif 000005
【図４】
2020127754.tif 000006
【図５】
2020127754.tif 000007
【図６】
2020127754.tif 000008
【図７】
2020127754.tif 000009
【図８】
2020127754.tif 000010
【図９】
2020127754.tif 000011
【図１０】
2020127754.tif 000012
【図１１】
2020127754.tif 000013
【図１２】
2020127754.tif 000014
【図１３】
2020127754.tif 000015
【図１４】
2020127754.tif 000016
【図１５】
2020127754.tif 000017
【図１６】
2020127754.tif 000018
【図１７】
2020127754.tif 000019